(57)【要約】【課題】デジタルスチルカメラで撮影した画像情報を送信した場合、受信側装置において該画像情報のＥｘｉｆタグを解釈できず、結果として受信画像を復号できないということが起こり得る。【解決手段】送信側装置においてｓＹＣＣ色空間のＪＰＥＧファイル情報の送信を行う際に、受信側装置から通知される受信機能情報に基づき、該受信側装置がｓＹＣＣ色空間上のＥｘｉｆタグの受信機能を有してるか否かを判断し、該判断結果に応じた形式で受信側装置へ送信する（Ｓ２４，Ｓ２６，Ｓ３０）。これにより、受信側装置で受信不可能なデータを送信してしまうことなく、受信側装置において撮影条件を考慮した受信画像処理が可能となる。【選択図】  図３
2004289263.tif 000002
【特許請求の範囲】
【請求項１】
送信側装置と受信側装置との間においてカラー画像情報の通信を行う画像通信方法であって、前記送信側装置においてｓＹＣＣ色空間のＪＰＥＧファイル情報の送信を行う際に、
前記受信側装置から通知される受信機能情報に基づき、該受信側装置がｓＹＣＣ色空間上のＥｘｉｆタグの受信機能を有してるか否かを判断する受信機能判断工程と、
前記ｓＹＣＣ色空間のＪＰＥＧファイルを、前記受信機能判断工程における判断結果に応じた形式で前記受信側装置へ送信する送信工程と、
を有することを特徴とする画像通信方法。
【請求項２】
前記送信工程においては、
前記受信側装置がＥｘｉｆタグの受信機能を有していると判断された場合に、前記ｓＹＣＣ色空間のＪＰＥＧファイルをＥｘｉｆタグ付きで送信し、
前記受信側装置がＥｘｉｆタグの受信機能を有していないと判断された場合に、前記ｓＹＣＣ色空間のＪＰＥＧファイルをＥｘｉｆタグ無しで送信する
ことを特徴とする請求項１記載の画像通信方法。
【請求項３】
前記受信機能情報は、
ｓＹＣＣ色空間上でのＪＰＥＧ符号化データの受信機能の有無を示す情報と、
ｓＹＣＣ色空間上でＥｘｉｆタグの受信機能の有無を示す情報と、
を含むことを特徴とする請求項１記載の画像通信方法。
【請求項４】
前記受信機能情報は、前手順におけるＤＩＳ信号のＦＩＦによって通知されることを特徴とする請求項３記載の画像通信方法。
【請求項５】
前記送信側装置は、前手順におけるＤＣＳ信号のＦＩＦによって、
ｓＹＣＣ色空間上のＪＰＥＧ符号化データを送信するか否かを示す情報と、
ｓＹＣＣ色空間上のＥｘｉｆタグを送信するか否かを示す情報と、
を前記受信側装置へ通知することを特徴とする請求項４記載の画像通信方法。
【請求項６】
前記受信側装置において、
前記送信側装置から送信されたｓＹＣＣ色空間のＪＰＥＧファイル情報を受信する受信工程と、
前記ｓＹＣＣ色空間のＪＰＥＧファイルがＥｘｉｆタグを有しているか否かを判断するタグ判断工程と、
前記ｓＹＣＣ色空間のＪＰＥＧファイルを、前記タグ判断工程における判断結果に応じた形式で処理する受信データ制御工程と、
を有することを特徴とする請求項２記載の画像通信方法。
【請求項７】
前記受信データ制御工程においては、前記ｓＹＣＣ色空間のＪＰＥＧファイルを、前記Ｅｘｉｆタグがあればメディアに格納し、前記Ｅｘｉｆタグが無ければプリントする
ことを特徴とする請求項６記載の画像通信方法。
【請求項８】
前記受信データ制御工程においては、前記ｓＹＣＣ色空間のＪＰＥＧファイルを、前記Ｅｘｉｆタグがあれば、該Ｅｘｉｆタグに基づく撮影条件によってプリントする
ことを特徴とする請求項６記載の画像通信方法。
【請求項９】
コンピュータ上で実行されることによって、請求項１乃至８のいずれかに記載の画像通信方法を実現することを特徴とするプログラム。
【請求項１０】
請求項９記載のプログラムを記録したことを特徴とする記録媒体。
【発明の詳細な説明】
【０００１】
【発明の属する技術分野】
本発明は、カラー画像データを通信するための画像通信技術に関する。
【０００２】
【従来の技術】
従来のカラー情報を通信可能なファクシミリ装置においては、その規格がＩＴＵ−Ｔ勧告Ｔ．３０、Ｔ．４、Ｔ．８１、Ｔ．４２に基づいて決定されており、色空間Ｌａｂ上のカラー画像データを対象とした通信を行うものであった。
【０００３】
近年のデジタルカメラ等の普及により、デジタルスチルカメラで撮影した画像情報をそのままファクシミリプロトコルを使用して送信したいというニーズが高まりつつある。ここで通常、デジタルカメラにおいて使用される色空間はＬａｂでなく、ｓＹＣＣである。したがって、ｓＹＣＣ色空間上におけるカラー画像データのＪＰＥＧ符号化情報をそのままの形態で送信可能とするプロトコルが検討されている。
【０００４】
ここで、ｓＹＣＣ色空間によるＪＰＥＧフルカラー送信を考えた場合、基本的に送信対象となるのはカラー原稿情報ではなく、デジタルスチルカメラで撮影してコンパクトフラッシュ（登録商標）カードに格納されているファイル情報であることが多い。従って当面は、カラー原稿情報についてはＬａｂ色空間で送信し、デジタルスチルカメラ等で撮影してコンパクトフラッシュ（登録商標）カードに格納されているファイル情報についてはｓＹＣＣ色空間で送信することが考えられる。
【０００５】
【発明が解決しようとする課題】
一般にデジタルスチルカメラで撮影した画像情報にはその圧縮情報を示すＥｘｉｆタグが付いているが、受信側装置においてこのＥｘｉｆタグの内容を解釈できるか否かについては分からない。そのため、デジタルスチルカメラで撮影した画像情報を送信した場合、受信側装置において該画像情報のＥｘｉｆタグを解釈できず、結果として受信画像を復号できないということが起こり得る。
【０００６】
本発明は上述した課題を解決するためになされたものであり、送信側装置において、受信側装置におけるＥｘｉｆタグの受信機能に応じて、送信する画像データに対するＥｘｉｆタグを付すか否かを制御することによって、受信側装置において最適な受信処理を可能とすることを目的とする。
【０００７】
【課題を解決するための手段】
上記目的を達成するために、本発明の画像通信方法は、送信側装置においてｓＹＣＣ色空間のＪＰＥＧファイル情報の送信を行う際に、受信側装置から通知される受信機能情報に基づき、該受信側装置がｓＹＣＣ色空間上のＥｘｉｆタグの受信機能を有してるか否かを判断し、ｓＹＣＣ色空間のＪＰＥＧファイルを、該判断結果に応じた形式で受信側装置へ送信することを特徴とする。
【０００８】
【発明の実施の形態】
本発明は、送信側装置から受信側装置へｓＹＣＣ色空間のＪＰＥＧファイル情報の送信を行う際に、受信側装置から通知される受信機能情報に基づき、該受信側装置がｓＹＣＣ色空間上のＥｘｉｆタグの受信機能を有してるか否かを判断し、ｓＹＣＣ色空間のＪＰＥＧファイルを、該判断結果に応じた形式で受信側装置へ送信するものであり、具体的には、受信側装置がＥｘｉｆタグの受信機能を有していると判断された場合にはｓＹＣＣ色空間のＪＰＥＧファイルをＥｘｉｆタグ付きで送信し、Ｅｘｉｆタグの受信機能を有していないと判断された場合にはｓＹＣＣ色空間のＪＰＥＧファイルをＥｘｉｆタグ無しで送信する。
【０００９】
なお、受信機能情報は、ｓＹＣＣ色空間上でのＪＰＥＧ符号化データの受信機能の有無を示す情報と、ｓＹＣＣ色空間上でＥｘｉｆタグの受信機能の有無を示す情報と、を含み、これは前手順におけるＤＩＳ信号のＦＩＦによって通知される。
【００１０】
また送信側装置は、前手順におけるＤＣＳ信号のＦＩＦによって、ｓＹＣＣ色空間上のＪＰＥＧ符号化データを送信するか否かを示す情報と、ｓＹＣＣ色空間上のＥｘｉｆタグを送信するか否かを示す情報と、を受信側装置へ通知する。
【００１１】
このような本発明は、具体的に願書に添付する図面に示す構成及び処理において、以下の実施形態と対応して実現できる。
【００１２】
以下、本発明に係る一実施形態について、図面を参照して詳細に説明する。
【００１３】
＜第１実施形態＞
●装置構成
図１は、本実施形態を適用するファクシミリ装置の構成を示すブロック図である。同図において、２はＮＣＵ（網制御装置）であり、電話網をデータ通信等に使用するためにその回線の端末に接続して、電話交換網の接続制御やデータ通信路への切り換え、ループの保持を行う。ＮＣＵ２はまた、バス２６からの制御により、電話回線２ａを電話機４側の回線２ｂに接続（ＣＭＬオフ）したり、ファクシミリ装置側の回線２ｃに接続（ＣＭＬオン）したりする。なお、電話回線２ａは通常状態では電話機４側に接続されている。
【００１４】
６はハイブリッド回路であり、送信系の信号と受信系の信号とを分離し、加算回路１２からの送信信号をＮＣＵ２経由で電話回線２ａに送出する。また、相手側からの信号をＮＣＵ２経由で受け取り、信号線６ａ経由で変復調器８に送る。
【００１５】
８は変復調器であり、ＩＴＵ−Ｔ勧告Ｖ．８、Ｖ．２１、Ｖ．２７ｔｅｒ、Ｖ．２９、Ｖ．１７、Ｖ．３４に基づいた変調及び復調を行う。変復調器８には、バス２６の制御により各伝送モードが指定され、バス２６からの送信信号を入力して変調データを信号線８ａに出力したり、信号線６ａからの受信信号を入力して復調データをバス２６に出力したりする。
【００１６】
１０は発呼回路であり、バス２６からの信号により電話番号情報を入力し、信号線１０ａにＤＴＭＦの選択信号を出力する。１２は加算回路であり、信号線８ａからの情報と信号線１０ａからの情報を入力し、それらの加算結果を信号線１２ａに出力する。
【００１７】
１４はカラー画像を読み取り可能な読取回路であり、読み取ったカラー画像データをバス２６に出力する。１６はカラー画像を記録可能な記録回路であり、バス２６に出力されている情報を１ライン毎に順次記録する。
【００１８】
１８はワーク用のメモリ回路（ＲＡＭ）であり、読み取りデータの生情報または符号化した情報を格納したり、また、受信情報または復号化した情報をバス２６を介して格納する。
【００１９】
２０は操作部であり、ワンタッチダイヤル、短縮ダイヤル、テンキー、＊キー、＃キー、スタートキー、ストップキー、セットキー、ダイレクト送信選択キー、ファイル情報の送信選択キー、カラー情報送信選択キー、その他のファンクションキーを備えており、押下されたキー情報はバス２６に出力される。また、操作部２０は表示部を有し、バス２６に出力されている情報を入力して表示する。
【００２０】
２２はＣＰＵ（中央処理装置）であり、ファクシミリ装置全体の制御や、ファクシミリ伝送制御手順を実行するが、その制御プログラムはＲＯＭ２４に格納されている。２８はカードインターフェイスであり、カード３０（例えば、デジタルカメラで撮影した情報が記憶されているコンパクトフラッシュ（登録商標）カード）がセットされる。
【００２１】
●通信制御信号
下表は、本実施形態においてＩＴＵ−Ｔ勧告Ｔ．３０の制御手順情報（ＤＩＳ／ＤＴＣ信号，ＤＣＳ信号）に追加する、カラー関連のビット情報（ＦＩＦのビット情報）を示す。
【００２２】
2004289263.tif 000003
この表によれば、ＤＩＳ／ＤＴＣ信号におけるＦＩＦの第６８ビットにより、Ｌａｂ色空間上のＪＰＥＧ符号化データの受信機能の有無を通知し、ＤＣＳ信号におけるＦＩＦの６８ビットにより、Ｌａｂ色空間上のＪＰＥＧ符号化データによる送信を指定をする。
【００２３】
また、ＤＩＳ／ＤＴＣ信号におけるＦＩＦの第６９ビットにより、Ｌａｂ色空間上のフルカラー受信機能の有無を通知し、ＤＣＳ信号におけるＦＩＦの第６９ビットにより、Ｌａｂ色空間上のフルカラー送信を指定をする。
【００２４】
また、ＤＩＳ／ＤＴＣ信号におけるＦＩＦの第Ｘビットにより、ｓＹＣＣ色空間上のＪＰＥＧ符号化データの受信機能の有無を通知し、ＤＣＳ信号におけるＦＩＦの第Ｘビットにより、ｓＹＣＣ色空間上のＪＰＥＧ符号化データによる送信を指定をする。
【００２５】
また、ＤＩＳ／ＤＴＣ信号におけるＦＩＦの第Ｘ＋１ビットにより、ｓＹＣＣ色空間上のＥｘｉｆタグの受信機能の有無を通知し、ＤＣＳ信号におけるＦＩＦの第Ｘ＋１ビットにより、ｓＹＣＣ色空間上のＥｘｉｆタグ送信を指定をする。
【００２６】
なお、図１に示すファクシミリ装置内のＲＯＭ２４には、本実施形態における特徴的な送受信処理を制御する制御プログラムが格納されている。以下、この制御プログラムによる送受信処理について、図２乃至図５のフローチャートを参照して、詳細に説明する。
【００２７】
●通信制御説明
まず、図２のステップＳ２においてバス２６を介してメモリ１８をイニシャライズした後、ステップＳ４において、バス２６を介して操作部２０における表示をクリアし、ステップＳ６でバス２６を介してＮＣＵ２のＣＭＬをオフする、すなわち電話回線２ａを電話機４側に接続する。
【００２８】
そしてステップＳ８においてファクシミリ受信が選択されたか否かを判断し、選択されていればステップＳ１４に進み、選択されていなければステップＳ１０に進む。ステップＳ１０ではファクシミリ送信が選択されたか否かを判断し、選択されていれば図３のステップＳ３４に進み、選択されていなければステップＳ１２に進んでその他の処理を実行した後、ステップＳ６に戻る。
【００２９】
●ファクシミリ受信処理
以下、本実施形態におけるファクシミリ受信処理について説明する。
【００３０】
ステップＳ１４では、バス２６を介してＮＣＵ２のＣＭＬをオンとする、すなわち電話回線２ａをファクシミリ装置側に接続する。そしてステップＳ１６において通信の前手順を行うが、このとき、ＤＩＳ信号におけるＦＩＦの６８，６９ビットを０に、Ｘ，Ｘ＋１ビットを１にセットすることによって、ｓＹＣＣ色空間によるＪＰＥＧ符号化データ及びＥｘｉｆタグを受信可能である旨を、送信側装置へ通知する。
【００３１】
そしてステップＳ１８において、前手順により送信側装置から通知されたＤＣＳ信号におけるＦＩＦのＸビットが１であるか否か、すなわち、ｓＹＣＣ色空間でのＪＰＥＧ符号化データ送信が指定されているか否かを判断し、１であれば図３のステップＳ２４に進むが、１でなければ本機では受信解析不可能であるとしてステップＳ２０に進み、モノクロ２値情報としての受信及びプリント処理を実行した後、ステップＳ２２で後手順を行ってステップＳ６へ戻る。
【００３２】
図３のステップＳ２４では、送信側装置から通知されたＤＣＳ信号におけるＦＩＦのＸ＋１ビットが１であるか否か、すなわち、ｓＹＣＣ色空間でのＥｘｉｆタグ送信が指定されているか否かを判断し、１であればステップＳ２６に進んで送信側装置からの画像データを受信し、該受信データをｓＹＣＣ色空間のＪＰＥＧデータでＥｘｉｆタグ付きであると判断して処理する。例えば、受信データをＥｘｉｆタグ付きデータとしてコンパクトフラッシュ（登録商標）カード３０に格納する。その後、ステップＳ２８で後手順を行ってステップＳ６へ戻る。
【００３３】
一方、ステップＳ２４においてＤＣＳ信号におけるＦＩＦのＸ＋１ビットが１でない、すなわちｓＹＣＣ色空間でのＥｘｉｆタグ送信が指定されていない場合は、ステップＳ３０に進んで送信側装置からの画像データを受信し、該受信データをｓＹＣＣ色空間のＪＰＥＧデータでＥｘｉｆタグ無しであると判断して処理する。例えば、受信データを記録回路１６により記録する。その後、ステップＳ３２で後手順を行ってステップＳ６へ戻る。
【００３４】
●ファクシミリ送信処理
以下、本実施形態におけるファクシミリ送信処理について説明する。
【００３５】
図３のステップＳ３４では、バス２６を介してＮＣＵ２のＣＭＬをオンとする、すなわち電話回線２ａをファクシミリ装置側に接続する。そしてステップＳ３６においてバス２６を介して、発呼回路１０を使用して指定された宛先へ発呼し、ステップＳ３８で通信の前手順を開始する。そして図４のステップＳ４０では操作部２０による入力情報に基づいてファイル情報の送信が選択されたか否かが判断され、選択されていればステップＳ４６に進むが、選択されていない、すなわち原稿情報の送信が選択されていればステップＳ４２に進み、ファクシミリ原稿情報を送信した後、ステップＳ４４での後手順の後、ステップＳ６に戻る。
【００３６】
ステップＳ４６においては、送信するファイル情報にＥｘｉｆタグが付いているか否かを判断し、付いていればステップＳ４８に進み、付いていなければステップＳ５６に進む。
【００３７】
ステップＳ４８では、前手順として受信側装置からのＤＩＳ信号を受け取った時点で、ＤＩＳ信号におけるＦＩＦのＸ＋１ビットが１であるか否かを判断し、１であればすなわち、受信側装置がｓＹＣＣ色空間におけるＥｘｉｆタグの受信機能を有していると判断し、ステップＳ５０に進む。ステップＳ５０では残りの前手順（送信側装置によるＤＣＳ通知、ＴＣＦ発信、受信側装置によるＣＦＲ返答等）を実行するが、このとき、ＤＣＳ信号についてもＦＩＦのＸ，Ｘ＋１ビットを１にセットすることによって、ｓＹＣＣ色空間によるＥｘｉｆタグ付きの送信指定を行う。そしてステップＳ５２において、ファイル情報を無変換として、Ｅｘｉｆタグ付きのｓＹＣＣ色空間上のＪＰＥＧ符号化データとして送信する。そしてステップＳ５４で後手順を行った後、ステップＳ６に戻る。
【００３８】
一方、ステップＳ４８でＤＩＳ信号におけるＦＩＦのＸ＋１ビットが１でない、すなわち受信側装置がｓＹＣＣ色空間におけるＥｘｉｆタグの受信機能を有していない場合には、ステップＳ５６で残りの前手順（送信側装置によるＤＣＳ通知、ＴＣＦ発信、受信側装置によるＣＦＲ返答等）を実行する際に、ＤＣＳ信号についてＦＩＦのＸビットに１を、Ｘ＋１ビットに０をセットすることによって、ｓＹＣＣ色空間によるＪＰＥＧ符号化データを、Ｅｘｉｆタグ無しで送信する旨を指定する。
【００３９】
そしてステップＳ５８において、送信するファイル情報にＥｘｉｆタグが付されているか否かを判断し、付されていれば図５のステップＳ６０へ進み、該ファイル情報からＥｘｉｆタグを取り除いて、ｓＹＣＣ色空間のＪＰＥＧ符号化データのみを送信する。そしてステップＳ６２で後手順を実行した後、ステップＳ６へ戻る。
【００４０】
一方、送信ファイル情報にＥｘｉｆタグが付されていなければ、図５のステップＳ６４に進んでファイル情報を変更することなく、すなわちＥｘｉｆタグ無しで、ｓＹＣＣ色空間のＪＰＥＧデータのみを送信する。そしてステップＳ６６で後手順を実行した後、ステップＳ６へ戻る。
【００４１】
以上説明したように本実施形態によれば、デジタルカメラ等で撮影したｓＹＣＣ色空間のＪＰＥＧファイル情報を送信する際に、受信側装置がｓＹＣＣ色空間でのＥｘｉｆタグ受信機能を有していれば、ｓＹＣＣ色空間のＪＰＥＧファイル情報をＥｘｉｆタグを付けたままで送信することができる。すると受信側装置においては、このＥｘｉｆタグ情報により撮影条件を考慮した制御が可能になる。
【００４２】
一方、受信側装置がｓＹＣＣ色空間でのＥｘｉｆタグ受信機能を有していなければ、ｓＹＣＣ色空間のＪＰＥＧファイル情報からＥｘｉｆタグを外して送信することができるため、受信側装置においてＥｘｉｆタグを受信できずにエラーとなってしまうことがなくなる。
【００４３】
＜第２実施形態＞
以下、本発明に係る第２実施形態について説明する。なお、第２実施形態におけるファクシミリ装置の構成は、上述した第１実施形態に示した図１と同様であるため、説明を省略する。
【００４４】
上述した第１実施形態によれば、ｓＹＣＣ色空間でのＪＰＥＧファイル情報を送信する際にＥｘｉｆタグを付す場合と、Ｅｘｉｆタグを付さない場合が考えられる。そこで第２実施形態では、受信側装置において、Ｅｘｉｆタグの有無に応じた適切な受信ファイル処理を行うことを特徴とする。
【００４５】
下表は、第２実施形態においてＩＴＵ−Ｔ勧告Ｔ．３０の制御手順情報（ＤＩＳ／ＤＴＣ信号，ＤＣＳ信号）に追加する、カラー関連のビット情報（ＦＩＦのビット情報）を示す。
【００４６】
2004289263.tif 000004
この表によれば、ＤＩＳ／ＤＴＣ信号におけるＦＩＦの第Ｘビットにより、ｓＹＣＣ色空間上のＪＰＥＧ符号化データの受信機能の有無を通知し、ＤＣＳ信号におけるＦＩＦの第Ｘビットにより、ｓＹＣＣ色空間上のＪＰＥＧ符号化データによる送信を指定をする。
【００４７】
●受信制御処理
図１に示すファクシミリ装置内のＲＯＭ２４には、第２実施形態における特徴的な受信処理を制御する制御プログラムが格納されている。以下、この制御プログラムによる受信処理は上述した第１実施形態とほぼ同様であるため、上述した第１実施形態で図２及び図３に示したフローチャートを参照して、第２実施形態における特徴的な部分についてのみ説明する。
【００４８】
第２実施形態ではステップＳ１６の前手順において、ＤＩＳ信号におけるＦＩＦのＸビットを１にセットすることによって、ｓＹＣＣ色空間によるＪＰＥＧ符号化データを受信可能である旨を、送信側装置へ通知する。
【００４９】
そしてステップＳ１８において、前手順により送信側装置から通知されたＤＣＳ信号におけるＦＩＦのＸビットが１であるか否か、すなわち、ｓＹＣＣ色空間でのＪＰＥＧ符号化データ送信が指定されているか否かを判断し、１であれば図３のステップＳ２４に進むが、１でなければ本機では受信解析不可能であるとしてステップＳ２０に進み、モノクロ２値情報としての受信及びプリント処理を実行した後、ステップＳ２２で後手順を行ってステップＳ６へ戻る。
【００５０】
図３のステップＳ２４では、第２実施形態の前手順ではＥｘｉｆタグ送信についての指定は行われないため、送信側装置からｓＹＣＣ色空間のＪＰＥＧ符号化データを受信し、該データがＥｘｉｆタグ付きであるか否かを判断する。
【００５１】
Ｅｘｉｆタグ付きであればステップＳ２６に進み、受信データをＥｘｉｆタグ付きデータとしてコンパクトフラッシュ（登録商標）カード３０に格納する。ここで、Ｅｘｉｆタグの示す情報としては例えば、撮影シーンやストロボ発光の有無等が保持されている。その後、ステップＳ２８で後手順を行ってステップＳ６へ戻る。
【００５２】
一方、ステップＳ２４においてＥｘｉｆタグがない場合はステップＳ３０に進んで、受信データを記録回路１６によりカラー記録する。その後、ステップＳ３２で後手順を行ってステップＳ６へ戻る。
【００５３】
このように第２実施形態では受信側装置において、送信側装置から送信されたｓＹＣＣ色空間のＪＰＥＧファイル情報を受信し、ｓＹＣＣ色空間のＪＰＥＧファイルがＥｘｉｆタグを有しているか否かを判断し、ｓＹＣＣ色空間のＪＰＥＧファイルを、該判断結果に応じた形式で処理することを特徴とし、具体的には、ｓＹＣＣ色空間のＪＰＥＧファイルを、Ｅｘｉｆタグがあればメディアに格納し、Ｅｘｉｆタグが無ければプリントする。または、ｓＹＣＣ色空間のＪＰＥＧファイルを、Ｅｘｉｆタグがあれば、該Ｅｘｉｆタグに基づく撮影条件によってプリントする。
【００５４】
以上説明したように第２実施形態によれば、受信側装置において、ｓＹＣＣ色空間上のＪＰＥＧ符号化データを受信した際に、該受信情報を、Ｅｘｉｆタグの有無に応じて適切に制御することができる。すなわち、受信情報にＥｘｉｆタグがあれば該受信情報をメディアに格納することによって、デジタルカメラによる撮影画像と同様の画像を再現することができる。一方、Ｅｘｉｆタグがなければ、通常のｓＹＣＣ色空間によるプリントが可能となる。
【００５５】
なお、受信したｓＹＣＣ色空間のＪＰＥＧ符号化データ受信時に、Ｅｘｉｆタグの有無に応じてプリント処理を制御することも有効である。すなわち、Ｅｘｉｆタグがあればその撮影条件（例えば撮影シーンやストロボ発光の有無等）を考慮して、記録回路１６によるカラー記録を行う。これにより、撮影条件に応じた高画質プリントが可能となる。一方、Ｅｘｉｆタグがなければ、特に撮影条件を考慮することなく通常のカラー記録を行えば良い。
【００５６】
＜他の実施形態＞
なお、本発明は、例えばシステム、装置、方法、プログラムもしくは記憶媒体等としての実施態様をとることが可能であり、具体的には、複数の機器（例えばホストコンピュータ、インタフェイス機器、リーダ、プリンタなど）から構成されるシステムに適用しても、一つの機器からなる装置（例えば、複写機、ファクシミリ装置など）に適用しても良い。
【００５７】
また、本発明の目的は、前述した実施形態の機能を実現するソフトウェアのプログラムコードを記録した記憶媒体を、システムあるいは装置に供給し、そのシステムあるいは装置のコンピュータ（またはＣＰＵまたはＭＰＵ）が記憶媒体に格納されたプログラムコードを読み出し実行することによっても達成されることは言うまでもない。
【００５８】
この場合、記憶媒体から読み出されたプログラムコード自体が前述した実施形態の機能を実現することになり、そのプログラムコードを記憶した記憶媒体は本発明を構成することになる。
【００５９】
プログラムコードを供給するための記憶媒体としては、例えば、フロッピー（登録商標）ディスク、ハードディスク、光ディスク、光磁気ディスク、ＣＤ−ＲＯＭ、ＣＤ−Ｒ、磁気テープ、不揮発性のメモリカード、ＲＯＭなどを用いることが出来る。
【００６０】
また、コンピュータが読み出したプログラムコードを実行することにより、前述した実施形態の機能が実現されるだけでなく、そのプログラムコードの指示に基づき、コンピュータ上で稼動しているＯＳ（オペレーティングシステム）などが実際の処理の一部を行い、その処理によって前述した実施形態の機能が実現される場合も含まれることは言うまでもない。
【００６１】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【００６２】
【発明の効果】
以上説明したように本発明によれば、送信側装置において、受信側装置におけるＥｘｉｆタグの受信機能に応じて、送信する画像データに対するＥｘｉｆタグを付すか否かを制御することによって、受信側装置において最適な受信処理が可能となる。
【図面の簡単な説明】
【図１】本発明に係る一実施形態が適用されるファクシミリ装置の構成を示すブロック図である。
【図２】本実施形態における送受信処理を示すフローチャートである。
【図３】本実施形態における送受信処理を示すフローチャートである。
【図４】本実施形態における送受信処理を示すフローチャートである。
【図５】本実施形態における送受信処理を示すフローチャートである。
【符号の説明】
２  ＮＣＵ
４  電話機
６  ハイブリッド回路
８  変復調器
１０  発呼回路
１２  加算回路
１４  読み取り回路
１６  記録回路
１８  メモリ回路
２０  操作部
２２  ＣＰＵ
２４  ＲＯＭ
２６  バス
２８  カードインターフェイス
３０  コンパクトフラッシュ（登録商標）カード
【図１】
2004289263.tif 000005
【図２】
2004289263.tif 000006
【図３】
2004289263.tif 000007
【図４】
2004289263.tif 000008
【図５】
2004289263.tif 000009